(57)【特許請求の範囲】
【請求項１】
磁気を発生する磁気発生装置（３）と、
マイナスイオンを発生するマイナスイオン発生装置（４）と、
床面（１１）に立設されて前記磁気発生装置（３）が設けられたパネル（２）と、
前記パネル（２）によって形成された治療空間（Ｓ）と、を備え、
前記磁気発生装置（３）から前記治療空間（Ｓ）に向けて放射された磁気と、患者（Ｍ）に被着させた前記マイナスイオン発生装置（４）から発生されるマイナスイオンと、で前記治療空間（Ｓ）内の前記患者（Ｍ）を治療する縦型磁気マイナスイオン治療システム（１）であって、
前記マイナスイオン発生装置（４）は、前記患者（Ｍ）の複数箇所に被着させてマイナスイオンを前記患者（Ｍ）の体内に注入させる複数のイオンパッド（４１）と、
前記複数のイオンパッド（４１）に電線（４３）でそれぞれ接続された電位発生器（４２）と、
を備えて構成され、前記患者（Ｍ）が被着している導電性の布で縫製した導電性衣類（７Ｂ）に対してマイナスイオンを放出し、
前記導電性衣類（７Ｂ）は、一端がマイナスイオンを発生させる前記電位発生器（４２）に電気的に接続された前記電線（４３）の他端を接続するための接続端子（７Ｂａ）を有し、
前記治療空間（Ｓ）内の上方には、前記パネル（２）の上方から延設された梁部材（２６）が配置され、
前記梁部材（２６）は、前記パネル（２）の左右外側から前記治療空間（Ｓ）の上方に亘って設けられて、正面視して門型形状の梁部材本体（２６ａ）と、
前記梁部材本体（２６ａ）の左右下端に前後方向に向けて形成された傾倒防止部（２６ｂ）と、
前記電線（４３）を当該梁部材（２６）に固定するための電線固定具と、を備えて構成され、
複数の前記電線（４３）は、一端側が前記電位発生器（４２）に接続され、他端側が前記梁部材（２６）から垂下して配線されて前記イオンパッド（４１）及び前記接続端子（７Ｂａ）に接続され、
前記電位発生器（４２）で生成されたマイナスイオンは、前記導電性衣類（７Ｂ）から前記患者（Ｍ）の体内に注入されることを特徴とする縦型磁気マイナスイオン治療システム。
【請求項２】
前記接続端子（７Ｂａ）は、前記導電性衣類（７Ｂ）の肩部、首部の後部、あるいは、背中部に取り付けられていることを特徴とする請求項１に記載の縦型磁気マイナスイオン治療システム。
【請求項３】
前記接続端子（７Ｂａ）は、前記導電性衣類（７Ｂ）に配置されている通電性糸に、導電性の金属から成るホック、あるいは、止めピンを接続した状態に取り付けられて成ることを特徴とする請求項１または請求項２に記載の縦型磁気マイナスイオン治療システム。
【請求項４】
前記治療空間（Ｓ）内の前記床面（１１）には、前記患者（Ｍ）が運動を行う運動器具（５）が配置されていることを特徴とする請求項１ないし請求項３のいずれか１項に記載の縦型磁気マイナスイオン治療システム。
【請求項５】
前記磁気発生装置（３）及び前記マイナスイオン発生装置（４）は、前記治療空間（Ｓ）内で運動を行う前記患者（Ｍ）に対して、前記磁気発生装置（３）からの前記磁気と、前記マイナスイオン発生装置（４）からの前記マイナスイオンとを、予め設定した所定時間放射することを特徴とする請求項１ないし請求項４のいずれか１項に記載の縦型磁気マイナスイオン治療システム。
【請求項６】
前記磁気発生装置（３）及び前記マイナスイオン発生装置（４）は、電動式の運動器具（５）を使って運動を行っている前記患者（Ｍ）に対して、前記磁気発生装置（３）からの前記磁気と、前記マイナスイオン発生装置（４）の前記マイナスイオンとを放射することを特徴とする請求項１ないし請求項５のいずれか１項に記載の縦型磁気マイナスイオン治療システム。
【発明の詳細な説明】
【技術分野】
【０００１】
本発明は、磁気とマイナスイオンとを発生させて患者を治療する縦型磁気マイナスイオン治療システムに関する。
【背景技術】
【０００２】
従来、磁気を利用した磁気治療装置としては、例えば、電磁コイルに交番電圧を加えることによって磁界を発生させる磁界発生部をマットに設けて、磁界を人体に与えることで、血行障害や、肩こりを治療する椅子型の磁気治療装置が知られている（例えば、特許文献１参照）。
【０００３】
この他の磁気治療装置としては、ベッドに磁気治療器を配置してベッド上に横たわった患者を治療する磁気治療ベッドが知られている（例えば、特許文献２参照）。
【先行技術文献】
【特許文献】
【０００４】
【特許文献１】特公昭６２−６８２５号公報
【特許文献２】特許第２７４３２４５号公報
【発明の概要】
【発明が解決しようとする課題】
【０００５】
しかし、特許文献１，２に開示された磁気治療装置では、効果があることは知られているものの、いずれも患者が椅子に座った静止状態か、または、ベッド上の寝た静止状態で治療が行われるものであって、治療効果が弱いという問題点があった。このため、さらに、効く治療装置が要望されている。
【０００６】
そこで、本発明は、前記実情に鑑み創案されたものであり、さらに、治療効果を向上させて効くようにした縦型磁気マイナスイオン治療システムを提供することを課題とする。
【課題を解決するための手段】
【０００７】
前記課題を解決するために、本発明に係る縦型磁気マイナスイオン治療システム（以下、適宜単に「治療システム」という）は、磁気を発生する磁気発生装置と、マイナスイオンを発生するマイナスイオン発生装置と、床面に立設されて前記磁気発生装置が設けられたパネルと、前記パネルによって形成された治療空間と、を備え、前記磁気発生装置から前記治療空間に向けて放射された磁気と、患者に被着させた前記マイナスイオン発生装置から発生されるマイナスイオンと、で前記治療空間内の前記患者を治療する縦型磁気マイナスイオン治療システムであって、前記マイナスイオン発生装置は、前記患者の複数箇所に被着させてマイナスイオンを前記患者の体内に注入させる複数のイオンパッドと、前記複数のイオンパッドに電線でそれぞれ接続された電位発生器と、を備えて構成され、前記患者が被着している導電性の布で縫製した導電性衣類に対してマイナスイオンを放出し、前記導電性衣類は、一端がマイナスイオンを発生させる前記電位発生器に電気的に接続された前記電線の他端を接続するための接続端子を有し、前記治療空間内の上方には、前記パネルの上方から延設された梁部材が配置され、前記梁部材は、前記パネルの左右外側から前記治療空間の上方に亘って設けられて、正面視して門型形状の梁部材本体と、前記梁部材本体の左右下端に前後方向に向けて形成された傾倒防止部と、前記電線を当該梁部材に固定するための電線固定具と、を備えて構成され、複数の前記電線は、一端側が前記電位発生器に接続され、他端側が前記梁部材から垂下して配線されて前記イオンパッド及び前記接続端子に接続され、前記電位発生器で生成されたマイナスイオンは、前記導電性衣類から前記患者の体内に注入されることを特徴とする。
ここで、「患者」とは、縦型磁気マイナスイオン治療システムを利用する者であって、病気やケガをしている者に限定されず、健康な者も含めていう。
【０００８】
このような構成によれば、治療システムは、磁気発生装置から治療空間に向けて放射された磁気と、患者に被着させたマイナスイオン発生装置から発生されるマイナスイオンとで、治療空間内の患者に対して治療を行うので、治療空間内で自由に動いている患者を治療することが可能となる。このため、治療システムは、患者が治療空間内で体操、ダンス、バレエ、スポーツ、武道、ヨガ、ストレッチ、ウォーキング等の運動を行いながら治療を同時に行うことも可能となる。治療システムは、動くことによって血行が良好になった患者を、磁気の効果と、マイナスイオンの効果とを相乗させて治療を行うことができるので、治療効果を倍増させることができる。
また、治療空間は、磁気発生装置が設けられた壁板状のパネルによって周囲が形成されているので、治療空間内に立った状態の患者の全身に対して、患者の全周から磁気及びマイナスイオンを同時に放射して治療を行うことができる。このため、治療システムは、従来の椅子型磁気治療装置、ベッド型治療装置、及び、マイナスイオン治療装置よりも、さらに、治療効果を向上させて効くようにすることができる。
また、このような構成によれば、導電性衣類は、電位発生器に電気的に接続されていることによって、電位発生器で生成されたマイナスイオンが患者の着た導電性衣類を介して体内に注入されるため、患者の全身に向けて効率よくマイナスイオンを放射することができる。
また、このような構成によれば、マイナスイオン発生装置は、治療空間内の上方の梁部材から垂下された電線により、電位発生器と、患者に被着させたイオンパッドとが接続されているので、患者が運動しながら治療を行っても、電線が患者に接触したり、絡まったりして邪魔になることがない。
【０００９】
また、前記接続端子は、前記導電性衣類の肩部、首部の後部、あるいは、背中部に取り付けられていることが好ましい。
【００１０】
このような構成によれば、接続端子は、前記導電性衣類の肩部、首部の後部、あるいは、背中部に取り付けられているので、患者が運動しながら治療を行っても、電線が患者に絡まったりして邪魔になることがない。
【００１１】
また、前記接続端子は、前記導電性衣類に配置されている通電性糸に、導電性の金属から成るホック、あるいは、止めピンを接続した状態に取り付けられて成ることが好ましい。
【００１２】
このような構成によれば、接続端子は、導電性衣類に配置されている通電性糸に、導電性の金属から成るホック、あるいは、止めピンで接続して取り付けることができる。
【００１５】
また、前記治療空間内の前記床面には、前記患者が運動を行う運動器具が配置されていることが好ましい。
【００１６】
このような構成によれば、治療システムは、例えば、治療空間内の運動器具で運動中の患者に対して、磁気発生装置からの磁気と、マイナスイオン発生装置からマイナスイオンとを同時に与えながら治療を行うことができる。この場合は、患者が運動器具で運動していることによって血行を良好にさせながら、磁気と、マイナスイオンとで治療を行うため、従来の磁気治療装置及びマイナスイオン治療装置よりも、さらに、治療効果がある治療にすることができる。
【００１７】
また、前記磁気発生装置及び前記マイナスイオン発生装置は、前記治療空間内で運動を行う前記患者に対して、前記磁気発生装置からの前記磁気と、前記マイナスイオン発生装置からの前記マイナスイオンとを、予め設定した所定時間放射することが好ましい。
【００１８】
このような構成によれば、磁気発生装置及びマイナスイオン発生装置は、治療空間内で治療を受ける患者が、導電性衣類を被着した状態で、磁気発生装置からの磁気と、マイナスイオン発生装置からのマイナスイオンとによる治療を受ける。その結果、マイナスイオン及び磁気が、導電性衣類を通過して患者の身体に伝達されて身体に吸収され易くなるため、さらに、治療効果を向上させることができる。
【００１９】
また、前記磁気発生装置及び前記マイナスイオン発生装置は、電動式の運動器具を使って運動を行っている前記患者に対して、前記磁気発生装置からの前記磁気と、前記マイナスイオン発生装置の前記マイナスイオンとを放射することが好ましい。
【００２０】
このような構成によれば、電動式運動器具を使って運動を行いながら治療を行うことによって、足腰等が不自由な患者等であっても、電動で患者の体を動かすのを支援しながら治療を行うことができる。その結果、足腰等が不自由な患者等であっても、体を動かして血行をよくしながら磁気とマイナスイオンとで治療を行うことができるので、治療効果をさらに向上させることができる。
【発明の効果】
【００２１】
本発明に係る縦型磁気マイナスイオン治療システムによれば、従来の磁気治療装置、及び、マイナスイオン治療装置よりも、さらに、治療効果を向上させて効くようにすることができる。
【図面の簡単な説明】
【００２２】
【図１】本発明の実施形態に係る縦型磁気マイナスイオン治療システムを示す概略斜視図である。
【図２】治療時の患者と縦型磁気マイナスイオン治療システムを示す概略図である。
【図３】治療を受ける患者と患者が治療時に身に着ける治療用衣類及びイオンパッドを示す図であり、（ａ）は治療時の患者を示す概略正面図、（ｂ）は患者の頭部に絶縁性の覆面、導電性覆面、及びフードを被せる前の状態を示す患者の要部概略正面図である。
【図４】治療を受ける患者の概略背面図である。
【発明を実施するための形態】
【００２３】
次に、本発明の実施形態に係る縦型磁気マイナスイオン治療システム１の一例を図１〜図４を参照して説明する。なお、説明の便宜上、図１に示す治療空間Ｓの奥側を前、ドア２５側を後、ドア開口部２ａの幅方向を左右方向として説明する。なお、本発明は、患者Ｍが治療空間Ｓ内に出入りすることが可能であれば、ドア２５は無くてもよいが、以下、ドア２５を備えた治療システム１の一例を例に挙げて説明する。
【００２４】
≪縦型磁気マイナスイオン治療システム≫
図１に示すように、縦型磁気マイナスイオン治療システム１（治療システム）は、床面１１に対して上方方向に向けて並設された複数の磁気発生装置３から発生される磁気と、マイナスイオン発生装置４から発生されるマイナスイオンとを同時に放射させて患者Ｍを治療する装置である。治療システム１は、パネル２に設けられた磁気発生装置３と、前記マイナスイオン発生装置４と、床面１１に立設されたパネル２と、パネル２によって形成された治療空間Ｓと、ドア開口部２ａに設けられたドア２５と、治療空間Ｓの上方に設けられた梁部材２６と、治療空間Ｓ内の床面１１に配置された運動器具５と、患者Ｍを支持する吊上装置６と、治療時に患者Ｍが身に着ける治療用衣類７と、患者Ｍに取り付けられる安全帯８と、磁気発生装置３及びマイナスイオン発生装置４を制御する制御装置９と、を備えている。
【００２５】
治療システム１は、磁気発生装置３から治療空間Ｓに向けて放射される磁気と、患者Ｍに被着させたマイナスイオン発生装置４から放射されるマイナスイオンとが、制御装置９で同時に発生されて、治療空間Ｓ内の患者Ｍを治療する磁気マイナスイオン治療システムである。治療システム１で治療を行う場合は、患者Ｍが導電性の布で縫製した導電性衣類７Ｂを被着した状態で、治療空間Ｓ内で電動式の運動器具５を使うなどして運動を行いながら、磁気発生装置３からの磁気と、マイナスイオン発生装置４からのマイナスイオンとで予め設定した所定時間治療を行う。
【００２６】
≪床面≫
図１に示すように、床面１１は、治療システム１が設置される部位であり、例えば、治療室内や、トレーニングルーム内等の平らな床の表面である。床面１１上には、パネル２と、梁部材２６と、制御装置９及び電位発生器４２が設けられたラック１２と、が主に配置されている。治療空間Ｓ内の床面１１には、患者Ｍが運動を行う運動器具５が配置されている。治療空間Ｓ内の床面１１上には、絶縁シート（図示省略）を敷設してもよい。
【００２７】
≪治療空間≫
図１に示すように、治療空間Ｓは、患者Ｍに対して治療システム１によって治療が行われる場所（治療室）である。また、この治療空間Ｓは、患者Ｍが運動を行うことが可能な空間であり、患者Ｍが運動したり、運動器具５を配置したりすることが可能な広さに形成されている。治療空間Ｓは、パネル２によって囲まれて形成されている。治療空間Ｓ内の上方には、一方の側部パネル２３の外側から治療空間Ｓの上方を介して他方の側部パネル２４の外側に延びる梁部材２６と、パネル２の外側から治療空間Ｓ内の上部に延びるアーム６２を有する吊上装置６と、が配置されている。
なお、治療空間Ｓの形状は、特に限定されない。治療空間Ｓは、患者Ｍが治療を行いながら体を動かして運動を行うことが可能な広さの空間であればよく、例えば、平面視して円形、長円形、Ｄ字状等の丸い形状や、正方形、菱形等の多角形であってもよい。以下、治療空間Ｓの一例として、図１に示すような直方体から成る空間を例に挙げて説明する。
【００２８】
≪パネル≫
パネル２は、治療空間Ｓを形成するための部材であって、磁気発生装置３をパネル２の内壁２ｂ全体に適宜な間隔を介して縦方向及び横方向に並設させるための部材でもある。パネル２は、床面１１に立設された壁状の厚板部材から成り、例えば、患者Ｍの身長よりも高く形成されている（例えば、高さ３〜３．５ｍ程度）。パネル２は、磁気発生装置３を植設することが可能な厚さに形成されている。パネル２の内壁面には、磁気発生装置３が挿装される不図示の多数の磁気発生装置設置穴が形成されている。パネル２は、前部パネル２１と、後部パネル２２（ドア２５）と、左右の側部パネル２３，２４とを平面視して矩形に形成して成る。前部パネル２１と後部パネル２２と左右の側部パネル２３，２４のうちのいずれかには、例えば、パネル２で構成されて治療空間Ｓ内に患者Ｍが出入りするためのドア開口部２ａが形成されて、ドア２５によって開閉されるようになっている。パネル２は、木材、非導電性の合成樹脂等の絶縁性の非磁性体によって形成されている。
なお、ドア開口部２ａは、患者Ｍが治療空間Ｓに出入り可能であればよく、ドア開口部２ａの設置場所、形状、及び大きさは特に限定されない。
以下、後部パネル２２全体を、側部パネル２４の後端面に設けた蝶番２５ｂを中心に回動自在に配置された開き戸タイプのドア２５として兼用した場合を例に挙げて説明する。
【００２９】
前部パネル２１は、運動器具５の前側に配置されて、治療空間Ｓの前側壁面を形成する部材である。前部パネル２１の左右端部には、側部パネル２３，２４が連結されている。
後部パネル２２（ドア２５）は、運動器具５の後側（側部パネル２３，２４の後端部間）に配置されて、治療空間Ｓの後側壁面を形成する部材である。
側部パネル２３，２４は、運動器具５の左右側部側にそれぞれ配置されて、左右側壁面を形成する部材である。
【００３０】
前部パネル２１、後部パネル２２（ドア２５）、及び、側部パネル２３，２４には、多数のパネル設置磁気発生装置３１（磁気発生装置３）を内壁２ｂの縦方向及び横方向にそれぞれに複数並べた状態に挿設するための設置溝（図示省略）が形成されている。その設置溝は、磁気発生装置３の表面が、前部パネル２１及び側部パネル２３，２４の内壁面に露出した面一の状態に植設されるように、没入される深さに形成されている。
【００３１】
≪ドア≫
ドア２５は、ドア開口部２ａを開閉するため開閉部材であり、ドア開口部２ａに開閉自在に設けられている。ドア２５は、ドア開口部２ａを開閉できるものであればよく、ヒンジ型（開き戸型）でも、スライド型（引き戸型）、引込み型、グライドスライドドア型、観音開き型、折戸型であってもよい。以下、ヒンジ型のドア２５を例に挙げて説明する。
【００３２】
ドア２５は、例えば、パネル２と同じ厚さで同じ材質から成る矩形のドア本体２５ａと、ドア本体２５ａの側部パネル２４側の上下に設けられた蝶番２５ｂと、ドア本体２５ａの表裏中央部に設けられたドアノブ２５ｃと、ドア本体２５ａの側部パネル２４側の端面中央部に設けられて側部パネル２４に設置された不図示のドア係止部に係止するドアラッチ部と、ドア本体２５ａに挿装されたドア設置磁気発生装置３２と、を備えている。
【００３３】
≪磁気発生装置≫
磁気発生装置３は、治療空間Ｓ内の患者Ｍの身体全体に向けて磁気（交番磁気）を放射する装置である。磁気発生装置３は、治療空間Ｓの内壁２ｂ（パネル２及びドア２５）の磁気発生装置設置穴（図示省略）に挿装される。磁気発生装置３は、治療空間Ｓ内に立った状態の患者Ｍの正面側、背面側、左右側面側から患者Ｍの全身に向けて磁気を放射することができるように、治療空間Ｓの内壁２ｂ全体のパネル２の上端部から下端部に亘って多数配置されている。磁気発生装置３は、パネル２に設けられたパネル設置磁気発生装置３１と、ドア２５に設けられたドア設置磁気発生装置３２と、を備えて構成されている。
【００３４】
磁気発生装置３は、少なくとも磁気を発生するものであればよい。磁気発生装置３は、例えば、電磁石に交流電流を流して、Ｎ極とＳ極とが交互に入れ替わって磁力の強さが変化する交番磁場を形成する交流磁気治療機から成る。その交流磁気治療機は、広範囲に磁場が発生して患者Ｍの全身に安定した強力な刺激を与えると共に、体の奥深くまで磁力線が届いて大きな治療効果があることが認められて、治療機器として厚生労働省の認可を受けている（文献名：「磁気治療が好き！心にも体にも優しい“免疫力も高まる”エネルギー療法」、著者：日下部史章、上村晋一、発行所：株式会社コスモの本、発行日：２０１３年１月３１日）。
【００３５】
磁気発生装置３は、例えば、家庭用医療器具として肩こり、筋肉の疲れ、血行促進、装着部位のこり及び血行に効果、効用があることが認定されている市販のマグネタイザー（登録商標）を多数備えて成る。磁気発生装置３は、患者Ｍの身体から離間された位置に配置されるので、非振動タイプのスタンダード型のものが好ましい。
図１に示すように、磁気発生装置３は、多数のマグネタイザー（登録商標）を、治療空間Ｓを形成するパネル２、及びドア２５に組み付けて構成されている。各磁気発生装置３は、同一のものから成り、制御装置９の磁気用タイマ部９１に並列に接続されている。
【００３６】
この磁気発生装置３に使用されるマグネタイザー（登録商標）は、例えば、定格電圧が１００Ｖ、定格容量が１１０／９５ＡＶ、最大磁束密度が１２０ｍＴ±５％、磁束能力（磁力線の強さ）が３５〜１８０ｍＴ（３５０〜１８００ガウス）で、好ましくは、４０〜１２００ｍＴ（４００〜１２００ガウス）の交流磁気治療器である。
なお、磁気発生装置３は、Ｎ極またはＳ極の方向に瞬時的に磁力線が走るパルス磁場を形成するパルス磁気治療機であってもよい。
【００３７】
パネル設置磁気発生装置３１は、治療空間Ｓ内に立った状態の患者Ｍに対して正面側及び左右側面側から、患者Ｍの頭部側から足部側に亘って磁気を放射する装置である。パネル設置磁気発生装置３１は、前部パネル２１、及び、側部パネル２３，２４の治療空間Ｓ側の内壁面全体に多数並設されている。パネル設置磁気発生装置３１及びドア設置磁気発生装置３２は、不図示のハーネスによって制御装置９を介して電源に接続されている。
【００３８】
ドア設置磁気発生装置３２は、治療空間Ｓ内に立った状態の患者Ｍに対して背面側から、患者Ｍの頭部側から足部側に亘って磁気を放射する装置である。ドア設置磁気発生装置３２は、治療空間Ｓの背面側の内壁２ｂを形成するドア２５の治療空間Ｓ側の内壁面全体に多数並設されている。
【００３９】
≪マイナスイオン発生装置≫
マイナスイオン発生装置４は、患者Ｍの複数箇所に被着される複数のイオンパッド４１と、治療の際に患者Ｍが着る治療用衣類７（少なくとも導電性衣類７Ｂを含む治療用衣類７）と、マイナスイオンを発生させる電位発生器４２と、イオンパッド４１及び導電性衣類７Ｂと電位発生器４２とを接続する電線４３と、イオンパッド４１を患者Ｍの体に保持させるためのベルト４４と、を備えて構成されている。
【００４０】
＜イオンパッド＞
図２に示すように、イオンパッド４１及び導電性衣類７Ｂは、マイナスイオンを患者Ｍの体内に注入させるための治療装置である。イオンパッド４１は、患者Ｍの人体に被着させてマイナスイオン（陰イオン）を生体に与えることによって、血液を弱アルカリ性に是正して、自律神経機能のアンバランスを調整し、疲労した細胞を正常化して心身を健康にする、いわゆる、「電子負荷療法（負電荷療法）」といわれている治療を行うのに使用される市販の金属導子またはゴム導子から成る複数の導子４１ａから主に構成されている。イオンパッド４１は、導子４１ａと、導子４１ａを覆う導電性導子カバー４１ｂと、導電性導子カバー４１ｂを覆う通電調整用導子カバー４１ｃと、を備えて構成されている。
【００４１】
各イオンパッド４１は、各電線４３から各電位発生器４２のアース端子（図示省略）を介して接地され、電位発生器４２から予め設定された電圧（電位）の電流が供給される。イオンパッド４１は、患者Ｍの胸部Ｍｂ、腹部Ｍｃ、左右の手部Ｍｄ、左右の足部Ｍｅ等の治療したい箇所に当てて、両端部に着脱自在な面ファスナー４４ａを備えた布製のベルト４４を巻き付けて拘束状態にすることによって、人体に取り付けられる。イオンパッド４１及びベルト４４の数は、６つが好ましく、６つ以上であっても、６つ以下でもよい。
【００４２】
なお、イオンパッド４１を６つ以上に増設した場合は、増設した分のイオンパッド４１を、筋肉痛等の痛みがある箇所や、具合の悪い箇所を治療したり、痛みを和らげたりするための専用のパッドにしてもよい。また、増設した予備のイオンパッド４１は、心臓、肺、胃、腸、腎臓等の臓器がある部位の皮膚に密着させるようにして配置すれば、それらの臓器の治療に使用することもできる。
【００４３】
導子４１ａの形状及び大きさは、被着させる患者Ｍの被着部位の形状や大きさに合わせて適宜形成すればよい。導子４１ａは、例えば、矩形の板状に形成されている。患者Ｍの胸部Ｍｂ及び腹部Ｍｃに被着される導子４１ａは、例えば、手部Ｍｄ及び足部Ｍｅに被着される導子４１ａよりも大きく形成されたものから成る（図３参照）。
【００４４】
導電性導子カバー４１ｂは、導電性繊維から成る布を袋状に縫製して形成された導子収納袋であり、四角形の巾着袋のように形成されている。導電性導子カバー４１ｂの開口部には、開口部から導子４１ａが落下するのを防止するベルト状部材が設けられている。そのベルト状部材は、一端側が開口部の一端部に固定され、他端側が開口部の他端部に面ファスナー等によって着脱自在になっている。
【００４５】
通電調整用導子カバー４１ｃは、導子４１ａを収納した導電性導子カバー４１ｂを収納する木綿等の非導電性繊維の布を縫製して成る袋状のカバーである。この通電調整用導子カバー４１ｃは、導電性導子カバー４１ｂとは異種な材質なものによって同様な形状に形成されている。通電調整用導子カバー４１ｃは、イオンパッド４１が患者Ｍの皮膚に直接触れるのを抑制すると共に、患者Ｍの身体に吸収されるマイナスイオンの強度を調整することによって、ピリピリ感（痛み）が無い適度な感触にするための機能を備えている。
【００４６】
図２に示すように、電位発生器４２は、マイナスイオンを生成する装置であって、イオンパッド４１及び導電性衣類７Ｂに３００〜６００Ｖ程度（例えば、３００Ｖ）の予め設定された電圧の電流を供給する装置である。各電位発生器４２は、マイナスイオン用タイマ部４２ａと、出力調整部４２ｂと、調整スイッチ部４２ｃと、をそれぞれ備えている。
【００４７】
電位発生器４２は、例えば、市販の株式会社日本理工医学研究所製の「タカダイオン負電荷治療器ＴＫ−２２１１」から成る。図１及び図２では電位発生器４２の台数を１台に省略して記載しているが、電位発生器４２は、６台のイオンパッド４１の数と、１着の導電性衣類７Ｂの数とを加算した数と同数の合計７台設けられている。電位発生器４２は、１つのイオンパッド４１及び１つの導電性衣類７Ｂに対して１台ずつ設けられている。各電位発生器４２には、それぞれ接地用のアース部材（図示省略）が設けられている。
【００４８】
マイナスイオン用タイマ部４２ａは、マイナスイオン発生装置４を駆動させる時間を、患者Ｍの病状や、運動する時間や、希望する治療時間に合わせて適宜に調整スイッチ部４２ｃで調整できるようになっている。マイナスイオン用タイマ部４２ａの設定時間は、例えば、磁気用タイマ部９１の設定時間と同じで、１５分、３０分、６０分に設定されて、同時に始動して同時に停止される。なお、マイナスイオン用タイマ部４２ａは、イオンパッド４１を適宜な所定時間に制御できるようにしてもよく、また、イオンパッド４１を磁気発生装置３の駆動時間よりも、５分〜１０分程度長く駆動するように設定してもよい。
【００４９】
出力調整部４２ｂは、電位発生器４２の電圧を３００〜６００Ｖ程度の内の適宜な値に設定するための調整部位である。電圧は、通常、装置全体が３００Ｖに一定に保たれている。そして、電圧は、患者Ｍの要望や病状等によって適宜な値に上げてもよい。
調整スイッチ部４２ｃは、マイナスイオン用タイマ部４２ａの設定時間を調整したり、電源をＯＮ，ＯＦＦしたりするためのスイッチである。
【００５０】
図１に示すように、電線４３は、電位発生器４２と、イオンパッド４１及び導電性衣類７Ｂと、をそれぞれ接続させるための絶縁被覆付リード線である。電線４３は、一端側が、電位発生器４２に接続され、他端側が、チューブに入れた状態で梁部材２６から垂下して、患者Ｍが着ている導電性衣類７Ｂの首部の後側に形成された電線挿通孔７Ｂ１ｂ（図４参照）から導電性衣類７Ｂ内及び非導電性衣類７Ａ内に配線されて、人体に被着された各イオンパッド４１に接続されている。電線４３は、治療空間Ｓ内の患者Ｍが絡まずに、かつ自由に動けるように、梁部材２６から患者Ｍに被着させた導子４１ａ（図２参照）までの長さを適宜な長さにして垂下し、患者Ｍが手、足を上げ下げしたり、胴体を捩じったり、上半身を起こしたり、立ち上がったりして体を動かすことが可能な長さにする。
【００５１】
電線４３は、例えば、６つの各イオンパッド４１に接続された６本の導子接続用コードと、導電性衣類７Ｂに接続された１本と、１本の接地用のアースコードとの合計８本から成る。図４に示すように、８本のうちの７本の電線４３は、患者Ｍが着る導電性衣服７Ｂ１の首の部分等に形成された電線挿通孔７Ｂ１ｂから導電性衣服７Ｂ１内に挿入されて、各電線４３の先端に接続された導子４１ａ（図２参照）が、それぞれの患部に配置されるように配線されている。８本のうちの１本の電線４３は、導電性衣服７Ｂ１の肩部、首部の後部、あるいは、背中等に接続されている。
なお、梁部材２６（図１参照）からイオンパッド４１までの間に配線される電線４３は、その途中の適宜な箇所に不図示のプラグとコネクタとを設けて分離及び接続可能に配線してもよい。
【００５２】
図２に示すように、ベルト４４は、患者Ｍの手部Ｍｄ及び足部Ｍｅに付着させたイオンパッド４１が、患者Ｍの体から落下したり、位置ズレしたりしないように保持するためのパッド用固定具である。ベルト４４は、イオンパッド４１がズレたり、落下したりしない場合は、無くてもよく、必ず使用しなければならないものではない。
【００５３】
≪梁部材≫
図１に示すように、梁部材２６は、一端が電位発生器４２に接続された電線４３の他端側を、治療空間Ｓの上方から患者Ｍが着ている導電性衣類７Ｂに接続するために、電線４３を治療空間Ｓの上方から垂下するように配線するための支持部材である。梁部材２６は、例えば、側部パネル２３，２４の左右外側から治療空間Ｓの上方に亘って設けられている。梁部材２６は、例えば、正面視して門型形状の梁部材本体２６ａと、梁部材本体２６ａの左右下端に前後方向に向けて形成された傾倒防止部２６ｂと、電線４３を梁部材２６に固定するための電線固定具（「配線固定具」ともいう）と、を備えて構成されている。
【００５４】
≪運動器具≫
運動器具５は、治療空間Ｓ内の患者Ｍが体を動かすために使用する器具であり、その型式、形状、駆動方式等は特に限定されない。運動器具５は、例えば、非導電性衣類７Ａの上に導電性衣類７Ｂを着た患者Ｍが立った状態で足部Ｍｅを上下、前後、左右方向等に往復動させる電動式運動器具であり、市販の「ステッパー」等のトレーニングマシンから成る。運動器具５は、電動駆動装置（図示省略）が内設された基台５１と、電動駆動装置（図示省略）によって動く左右一対のペダル５２と、基台５１の前側に立設された支柱フレーム５３と、支柱フレーム５３から左右方向に延びる前側ハンドル部５４と、前側ハンドル部５４から後方に延びる横側ハンドル部５５と、前側ハンドル部５４に設けられた制御盤５６と、を備えている。
【００５５】
基台５１は、治療空間Ｓ内の床面１１に配置された電動駆動装置（図示省略）収納用の平面視して矩形の略厚板形状の箱体である。
ペダル５２は、患者Ｍが足を載せるための板部材であり、電動駆動装置（図示省略）によって上下、前後、左右方向等に往復駆動されるようになっている。
【００５６】
支柱フレーム５３は、基台５１の前端部中央から上方向に向けて立設された柱状の部材である。支柱フレーム５３は、磁気発生装置３から放射された磁気を当該支柱フレーム５３でなるべく遮断しないようにするために、１本の柱状部材から成ることが望ましい。
前側ハンドル部５４は、支柱フレーム５３の上端部から左右方向に延設されたフレーム部材である。
横側ハンドル部５５は、前側ハンドル部５４の左右端部から後方に向けて延設されたフレーム部材である。
【００５７】
制御盤５６には、運動器具５の電動駆動装置（図示省略）を駆動させるスタートスイッチと、運動器具５の駆動時間を設定するタイマスイッチと、電動駆動装置（図示省略）の動きを設定するプログラム設定スイッチと、タイマ時間等を表示する表示部と、電動駆動装置（図示省略）を制御する運動器具制御部と、が設けられている。
【００５８】
治療システム１は、電動製の運動器具５で患者Ｍを運動させて血行を良好にさせながら磁気発生装置３の磁気と、マイナスイオン発生装置４のマイナスイオンとで、患者Ｍを治療することが望ましい。
【００５９】
≪吊上装置≫
図１に示すように、吊上装置６は、治療空間Ｓ内で動く患者Ｍを支持する装置であり、特に、足腰等が不自由な患者Ｍや、歩行が困難な患者Ｍが立った状態で治療を行う際の補助器具である。このため、治療を行っている際に、立っていることができる患者Ｍの場合は不要であり、必要に応じて使用すればよい。吊上装置６は、床面１１に立設された支柱６１と、支柱６１の上端部に軸支されたアーム６２と、アーム６２から垂下する索体６３と、患者Ｍに取り付けられた安全帯８と、索体６３の先端に設けられた係止具６４と、を備えている。吊上装置６は、索体６３を上昇、下降させるための装置であり、例えば、電動式、油圧式、ばね式、あるいは、手動式等の市販の小型クレーンから成る。吊上装置６は、患者Ｍに取り付けた安全帯８を引き上げ、引き下げ可能な装置であれば、その形式、形状、駆動方式等は特に限定されず、床固定式、床移動式、スライドジブ式、リフター式、手動ウインチアーム式等であっても構わない。
【００６０】
支柱６１は、床面１１に対して垂直に配置された柱状の部材である。支柱６１は、床面１１に固定されてあるもの、あるいは、床面１１に対して移動可能に配置されたものであっても構わない。また、支柱６１は、アーム６２を支えることが可能な柱状部材であれば、その形状等は特に限定されず、床に固定された一本柱、床に移動可能に設けられた柱、門型状の二本柱、あるいは、三本柱であっても構わない。支柱６１には、例えば、アーム６２を上下方向及び水平方向に動作させるための駆動装置（図示省略）が設けられている。
【００６１】
アーム６２は、支柱６１の上端部から治療空間Ｓの上方に向けて延設されたフレーム部材である。アーム６２は、基端側が支柱６１に対して回動可能に配置され、先端部に索体６３が吊支されている。
【００６２】
索体６３は、運動器具５で運動している患者Ｍが運動している最中に転倒したり、足を運動器具５上から踏み外したりしたときに、患者Ｍを支持して保護するための部材である。索体６３は、上端がアーム６２の先端に連結され、下端が係止具６４に連結されたチェーン、鎖、ロープ、あるいは、ワイヤから成る。
係止具６４は、安全帯８に着脱自在に連結される部材であり、例えば、外れ防止用のロック機構を有するフック部材から成る。
【００６３】
安全帯８は、腰部等に取り付けられて患者Ｍを吊上装置６で吊上げて保持可能にするための略ベルト状の部材であり、索体６３の下端に連結された係止具６４が取り付けられる。安全帯８は、例えば、転倒時に腿、腰、肩等の複数部位に衝撃を分散して身体へのダメージを軽減して保護するハーネス型安全帯から成る。また、安全帯８は、胴ベルト型安全帯、一般高所作業用安全帯、巻取リール式安全帯、ハーネス型安全帯等でもよい。
【００６４】
≪治療用衣類≫
図２に示すように、治療用衣類７は、患者Ｍが治療時に身に着ける衣類であり、非導電性衣類７Ａと、導電性衣類７Ｂと、から成る。患者Ｍは、治療システム１で治療する際に、例えば、地肌側に非導電性衣類７Ａを着けて、その上にマイナスイオンが供給される導電性衣類７Ｂを身に着けて、導電性衣類７Ｂで全身を覆った状態で治療が行われる。
【００６５】
＜非導電性衣類＞
非導電性衣類７Ａは、患者Ｍが治療システム１で治療する際に、地肌側に着ける衣類であり、木綿製等の一般的な非通電性の繊維の衣類から成る。非導電性衣類７Ａは、患者Ｍの皮膚に対して隙間なく密着するように、伸縮性のある布で縫製されている。非導電性衣類７Ａは、長袖下着７Ａ１と、股引状下着７Ａ２と、覆面７Ａ３と、手袋７Ａ４と、靴下７Ａ５と、から構成されている。非導電性衣類７Ａは、非導電性の布を縫製して形成されて、患者Ｍの全身を覆うことで、導電性衣類７Ｂから非導電性衣類７Ａを介して患者Ｍの体内に入る電流を低減させて、各患者Ｍの皮膚等に合ったマイナスイオンの強度に調整可能である。マイナスイオンの強度の調整が不要に場合、非導電性衣類７Ａは不要である。
【００６６】
長袖下着７Ａ１は、長袖の肌着、あるいは、下着であって、袖が手首及び手袋７Ａ４の開口部を完全に覆うように長く形成されている。
股引状下着７Ａ２は、所謂「ももひき」と言われているズボン型下着であって、下端が足首及び靴下７Ａ５の開口部を完全に覆うように長く形成された股引である。なお、股引状下着７Ａ２の下には、木綿製等に一般的な繊維から成るパンツを着けてもよい。
覆面７Ａ３は、患者Ｍの左右の目と、口とに合わせた開口７Ａ３ａをそれぞれ有して患者Ｍの顔及び頭部Ｍａを覆うと共に、患者Ｍの首、及び、左右の肩を覆う肩当部７Ａ３ｂを有する。覆面７Ａ３は、例えば、木綿製のタオル地の布で形成されている。覆面７Ａ３の開口７Ａ３ａの大きさは、人の目や口と同程度の大きさか、あるいは、人の目や口の大きさよりも小さく形成したものでもよい。
【００６７】
患者Ｍの左右の手部Ｍｄに被着させて手部Ｍｄを覆う手袋７Ａ４、及び、患者Ｍの左右の足部Ｍｅに被着させて覆う靴下７Ａ５は、各指を入れる部分がそれぞれある五本指タイプものであっても、親指以外の指をまとめて入れるようにしたミトンタイプのもの、あるいは、全部の指をまとめて入れるようにした一本指タイプのものであっても、どちらでもよい。手袋７Ａ４及び靴下７Ａ５は、この手袋７Ａ４及び靴下７Ａ５内に挿入したイオンパッド４１を患者Ｍの手部Ｍｄや足部Ｍｅに固定するための手段として使用しもよい。
【００６８】
＜導電性衣類＞
図２に示すように、導電性衣類７Ｂは、患者Ｍが治療システム１で治療する際に、非導電性衣類７Ａの上に身に付ける通電性の衣類である。導電性衣類７Ｂは、患者Ｍが被着した非導電性衣類７Ａに対して隙間なく密着するように、伸縮性のある布で縫製されている。導電性衣類７Ｂは、導電性衣服７Ｂ１と、導電性覆面７Ｂ２と、導電性手袋７Ｂ３と、導電性靴下７Ｂ４と、から成り、それぞれが導通した状態に患者Ｍに被着される。導電性衣類７Ｂは、イオンパッド４１から患者Ｍ側に流れる負電荷と、磁気発生装置３から発生した磁気と、を患者Ｍの体内に入り易くするという機能がある。このため、導電性衣類７Ｂは、フード７Ｂ１ａ付きの導電性衣服７Ｂ１と、導電性覆面７Ｂ２と、導電性手袋７Ｂ３と、導電性靴下７Ｂ４とによって患者Ｍの全身を覆うことで、電位発生器４２から導電性衣服７Ｂ１に供給されたマイナスイオンを体全体にムラ無く浸透し易くしている。
導電性衣類７Ｂは、ポリエステル等の合成繊維と、銅、ニッケル、ステンレス鋼等の導電性金属繊維と、から成る導電性の布を縫製して作られた衣類である。この他、導電性衣類７Ｂは、合成繊維に導電性の良好な金属や黒鉛を均一に分散させたもの、あるいは、有機物繊維の表面に金属を被覆したものであっても構わない。
【００６９】
導電性衣服７Ｂ１は、上衣と下衣が一体のつなぎから成り、非導電性の覆面７Ａ３及び導電性覆面７Ｂ２を着けた患者Ｍの頭部Ｍａ、及び首を覆うフード７Ｂ１ａを有している。導電性衣服７Ｂ１は、長袖下着７Ａ１及び股引状下着７Ａ２と同様に、袖が手首を完全に覆う長さに形成されると共に、下端が足首を完全に覆う長さに形成されている。導電性衣服７Ｂ１の肩部、首部の後部、あるいは、背中部等には、一端が電位発生器４２に接続された電線４３の他端を接続するための接続端子７Ｂａが取り付けられている。
なお、導電性衣服７Ｂ１は、少なくとも、上衣部分と下衣部分が連続した衣服であればよい。また、導電性衣服７Ｂ１は、具体例を挙げると、特殊導電糸で作った株式会社ＭＣＣ製の「超制電クリーンスーツ（ＩＥＣ（International Electrotechnical Commission）規格対応クリーンスーツ）」や、「マスク・フード一体型クリーンスーツ」でもよい。
【００７０】
接続端子７Ｂａは、導電性衣服７Ｂ１に配置されている通電性糸に、導電性の金属から成るホック、あるいは、止めピンを接続した状態に取り付けられて成る。接続端子７Ｂａに接続された電線４３は、接続端子７Ｂａ側がマイナス側、制御装置９側がプラス側になるように接続されている。
【００７１】
導電性覆面７Ｂ２は、患者Ｍの頭部Ｍａ、首及び肩部に被着させた非導電性の覆面７Ａ３を覆う導電体であり、頭部Ｍａ、首及び肩部にマイナスイオンを浸透し易くしている。
導電性手袋７Ｂ３は、患者Ｍの左右の手部Ｍｄに被着させた非導電性の手袋７Ａ４を覆う導電体であり、開口部位を導電性衣服７Ｂ１の袖に重ねて配置される。
導電性靴下７Ｂ４は、患者Ｍの左右の足部Ｍｅに被着させた非導電性の靴下７Ａ５を覆う導電体であり、開口部位を導電性衣服７Ｂ１の足首部位に重ねて配置される。
【００７２】
≪制御装置≫
図２に示す制御装置９は、磁気発生装置３の駆動時間を制御する磁気用タイマ部９１と、磁気用タイマ部９１の時間を調整したり、電源をＯＮ，ＯＦＦしたりするためのスイッチ部９２と、スイッチ部９２で設定したタイマ時間等と表示する表示部９３と、表示部９３や電位発生器４２等の駆動を制御する制御部９４と、を備えている。
【００７３】
磁気用タイマ部９１は、各磁気発生装置３を駆動させる時間を、患者Ｍの病状や、希望する治療時間に合わせて適宜にスイッチ部９２で調整できるようになっている。磁気用タイマ部９１及び前記マイナスイオン用タイマ部４２ａは、５分〜１５分単位等で、適宜な時間に設定可能になっている。磁気用タイマ部９１の時間は、一般的に、１５分〜６０分程度に設定して使用される。磁気用タイマ部９１は、パネル設置磁気発生装置３１とドア設置磁気発生装置３２とを同時にスタートさせて同じ時間に停止するようになっている。
【００７４】
スイッチ部９２は、磁気用タイマ部９１の時間を設定させるタイマ時間設定スイッチと、治療システム１全体をＯＮ，ＯＦＦする電源スイッチと、磁気発生装置３及びマイナスイオン発生装置４を作動させるスタートスイッチと、を備えて成る。
【００７５】
表示部９３は、例えば、スイッチ部９２で設定した駆動時間等をデジタル表示する時間表示部と、イオンパッド４１に送る電圧を表示する電圧表示部と、を備えている。
制御部９４は、治療システム１の各部を制御する部位であり、磁気とマイナスイオンとが同時に発生されるように、磁気発生装置３とマイナスイオン発生装置４と制御する機能を有する。
【００７６】
≪作用≫
次に、各図を参照しながら本発明の実施形態に係る縦型磁気マイナスイオン治療システム１の作用を工程順に説明する。なお、その工程順は一例であり、これに限定されない。
【００７７】
まず、患者Ｍは、治療システム１での治療を開始する前に、まず、図２に示す非通電性の長袖下着７Ａ１と、股引状下着７Ａ２等の下着と皮膚に密着した状態に被着し、その上に導電性衣服７Ｂ１を密着するように被着する。
【００７８】
続いて、図３（ｂ）に示すように、患者Ｍの頭部Ｍａ、首、及び肩部に非導電性の覆面７Ａ３を被せ、さらにその上に導電性覆面７Ｂ２を被せて頭部Ｍａ、首、及び肩部を二重に覆って眼と口のみを露出させる。その頭部Ｍａに導電性衣服７Ｂ１のフード７Ｂ１ａを被せる。すると、患者Ｍの頭部Ｍａは、図３（ａ）に示す状態になる。
【００７９】
次に、図２に示すように、患者Ｍの左右の手部Ｍｄには、それぞれ非導電性の手袋７Ａ４を被せ、さらにその上に導電性手袋７Ｂ３を被せる。患者Ｍの左右の足部Ｍｅには、それぞれ非導電性の靴下７Ａ５を被せ、さらにその上に導電性靴下７Ｂ４を被せる。
患者Ｍは、このようにして全部の非導電性衣類７Ａ及び導電性衣類７Ｂを身に着けると、図３（ａ）に示すように、眼と口以外は肌が露出しないように非導電性衣類７Ａと導電性衣類７Ｂとで全身が覆われた状態になる。この場合、患者Ｍは、電気が接続端子７Ｂａから導電性衣服７Ｂ１を介して導電性覆面７Ｂ２、導電性手袋７Ｂ３、及び、導電性靴下７Ｂ４にそれぞれ導通する状態になるように、導電性衣服７Ｂ１の端部に対して導電性覆面７Ｂ２、導電性手袋７Ｂ３、及び、導電性靴下７Ｂ４の一部を重ねた状態に被着する。
次に、患者Ｍは、図１に示すように、ドア２５を開けて、ドア開口部２ａから治療空間Ｓ内に入り込む。
【００８０】
続いて、図２に示すように、各イオンパッド４１の導子４１ａを、導電性導子カバー４１ｂ内に入れると共に、導子４１ａを入れた状態で導電性導子カバー４１ｂを、通電調整用導子カバー４１ｃ内に入れる。イオンパッド４１を、導電性衣服７Ｂ１及び長袖下着７Ａ１内の患者Ｍの胸部Ｍｂと、丹田、臍の周辺等の腹部Ｍｃと、にそれぞれ被着させる。次に、イオンパッド４１を、左右の手袋７Ａ４及び導電性手袋７Ｂ３内にそれぞれ挿入させて掌等の手部Ｍｄに被着させる。また、イオンパッド４１を、左右の導電性靴下７Ｂ４及び靴下７Ａ５内にそれぞれ挿入させて足の裏等の足部Ｍｅにそれぞれ被着させる。手部Ｍｄ及び足部Ｍｅにそれぞれ被着させたイオンパッド４１を、手部Ｍｄ及び足部Ｍｅにベルト４４で固定させる。
次に、安全帯８が必要な足腰等の不自由な患者Ｍや、歩行が困難な患者Ｍ等を治療する場合は、安全帯８を患者Ｍに取り付け、吊上装置６の係止具６４を安全帯８に連結する。
これにより、治療システム１で患者Ｍを治療する前に行う準備工程である患者Ｍに身に付けさせる非導電性衣類７Ａ及び導電性衣類７Ｂの被着工程と、患者Ｍに付けるイオンパッド４１の取付工程と、安全帯８の取付工程と、が終了する。
【００８１】
なお、イオンパッド４１（通電調整用導子カバー４１ｃ）は、患者Ｍの病状等に合わせて、所望とする治療したい箇所の肌に密着させて取り付ければよく、図２に示す箇所に限定されるものではない。例えば、イオンパッド４１が６個ある場合は、前記したように、６個あるうちの４個を人体の端部である左右の手部Ｍｄと、左右の足部Ｍｅとの４箇所に取り付けて、残りの２個を胸部Ｍｂ及び腹部Ｍｃ等の患者Ｍの希望する箇所に取り付けることにより、効果的に治療を行うことができる。
【００８２】
次に、制御装置９のスイッチ部９２をＯＮにすると共に、磁気用タイマ部９１及びマイナスイオン用タイマ部４２ａを操作して、磁気発生装置３及びマイナスイオン発生装置４の駆動時間を、患者Ｍの病状等に合わせた適切な治療時間や、患者Ｍ等の希望する治療時間（例えば、３０分から６０分程度）にセットする。
【００８３】
スイッチ部９２のスタートスイッチをＯＮすると、磁気用タイマ部９１及びマイナスイオン用タイマ部４２ａが同時に作動すると共に、磁気発生装置３とマイナスイオン発生装置４が始動する。すると、治療システム１は、磁気発生装置３から放射される磁気と、マイナスイオン発生装置４から発生されるマイナスイオンとが同時に発生し始める。
【００８４】
次に、患者Ｍは、運動器具５上に載り、制御盤５６のタイマスイッチを操作して、運動器具５の駆動時間を前記磁気発生装置３及びマイナスイオン発生装置４の駆動時間と同じ時間にセットする。その後、患者Ｍは、制御盤５６のスタートスイッチを操作する。すると、患者Ｍが載っている運動器具５の左右のペダル５２が動き出し、患者Ｍの足部Ｍｅが運動器具５によって強制的に動かされる。患者Ｍは、動くことで血行が良くなる。
【００８５】
そして、磁気発生装置３（パネル設置磁気発生装置３１及びドア設置磁気発生装置３２）からは、患者Ｍの前面、左右側面、及び背面の全周方向から全身に向けて磁気が放射される。これと同時に、制御装置９から電位発生器４２に電流が供給されると、電位発生器４２で生成されたマイナスイオンが、各イオンパッド４１から患者Ｍの胸部Ｍｂ、腹部Ｍｃ、左右の手部Ｍｄ、及び、左右の足部Ｍｅ内に注入される。また、電位発生器４２で生成されたマイナスイオンは、患者Ｍの全身を覆った導電性衣類７Ｂ（導電性衣服７Ｂ１、導電性覆面７Ｂ２、導電性手袋７Ｂ３、及び導電性靴下７Ｂ４）から全身に注入される。
【００８６】
この場合、各イオンパッド４１は、各導子４１ａが導電性導子カバー４１ｂと通電調整用導子カバー４１ｃとで覆われているので、マイナスイオンの強度を微調整することができる。また、導電性衣類７Ｂは、この下に着る非導電性衣類７Ａの厚さ、枚数を変更したり、弱通電性の材質のものに変更したりすることによって、各患者Ｍに合ったマイナスイオンの強度に微調整することができる。
【００８７】
マイナスイオン発生装置４は、患者Ｍの身体内にマイナスイオンを放出することによって、血液の血清中のグロブリンにマイナスイオンが作用すると、血液がマイナスイオン化されて、細胞を活性化させることができる。また、マイナスイオン発生装置４は、マイナスイオンを生体に与えることにより、血液中のｐＨを調整して、活性酸素によって酸性化された器官や、組織の活性酸素を分解、消去する還元反応で、弱アルカリ性に是正させることができる。
このようなことからマイナスイオン発生装置４は、脳、器官、臓器、骨髄、筋肉等の身体全体における組織の新陳代謝の改善、促進効果、老化、及び、病気の防止改善に効能作用がある。（文献名：「細胞活性がなかなか治らなかった病気を改善する！」、著者：寺沢充夫、発行所：株式会社ごま書房新社、発行日:２０１１年９月７日）
【００８８】
このように、治療システム１は、患者Ｍを運動器具５で動かして血行をよくしながら磁気発生装置３によって発生される磁気と、マイナスイオン発生装置４（患者Ｍの複数箇所に取り付けたイオンパッド４１、及び、全身を覆った導電性衣類７Ｂ）から放射されるマイナスイオンとを、同時に発生させて患者Ｍを治療することにより、相乗効果がさらに向上されるため、従来の磁気治療装置、及び、マイナスイオン治療装置よりも、治療効果を倍増以上に発揮させて効くようにすることができる。また、治療システム１は、患者Ｍが治療中に傾倒しそうになっても、安全帯８と吊上装置６とで支えることができるので、足腰等の不自由な患者Ｍや、歩行が困難な患者Ｍ等に対する治療装置としても優れている。
特に、治療システム１は、怪我をした箇所の回復力（自然治癒力）を高めたり、リハビリ的な効果をさらに向上させたりすることができる。また、肩こり、筋肉疲労等の早期回復に効果があることが確認されている。
【００８９】
治療システム１は、磁気発生装置３が患者Ｍの上端部周辺から下端部周辺に亘る周囲全体に配置されていることによって、患者Ｍの略体全体に向けて磁気が放射される。このため、全身にムラ無く磁気を高密度に与えることができるので、治療効果をさらに向上させることができる。
【００９０】
この場合、治療空間Ｓ内の患者Ｍは、導電性衣服７Ｂ１、導電性覆面７Ｂ２、導電性手袋７Ｂ３、及び導電性靴下７Ｂ４を被着した状態で、磁気発生装置３の磁気を受けながら、電位発生器４２で生成されてイオンパッド４１及び導電性衣類７Ｂから放出されたマイナスイオンが体内に注入されて治療される。導電性衣類７Ｂは、フード７Ｂ１ａを有する導電性衣服７Ｂ１と、導電性覆面７Ｂ２と、導電性手袋７Ｂ３と、導電性靴下７Ｂ４とから成るので、患者Ｍの眼及び口以外の全身を覆っているため、マイナスイオン及び磁気が、患者Ｍの全身に注入されて吸収され易くなっている。また、非導電性衣類７Ａ及び導電性衣類７Ｂは、伸縮性を有しているので、患者Ｍの皮膚に密着して身体にフィットした状態に患者Ｍに身に着けられているため、マイナスイオンが導電性衣服７Ｂ１から身体内に入り易くなっている。その結果、導電性衣類７Ｂは、マイナスイオンと磁気の人体への吸収性を向上させることができる。また、患者Ｍの頭部Ｍａは、非導電性の覆面７Ａ３と、導電性覆面７Ｂ２とで眼及び口以外の顔全体を適宜な導電性部材で覆っていることによって、美容効果もあることが確認されている。また、非導電性の覆面７Ａ３、導電性覆面７Ｂ２、及びフード７Ｂ１ａで患者Ｍの頭部Ｍａを覆うことによって、髪の毛を覆っているため、髪の毛にも治療効果がある。
【００９１】
このようにして治療システム１で患者Ｍを治療することにより、次のような健康効果及び治療効果があることが確認されている。
磁気発生装置３の磁力によっては、血流血行促進、脳卒中の回復、心臓病の回復、糖尿病の回復、リウマチの回復、高血圧の回復、肺気腫の回復、自立神経失調症の改善、睡眠障害の改善があることが確認されている。
また、マイナスイオン発生装置４のマイナスイオンによっては、不眠症、頭痛、肩こり、便秘、筋肉痛、神経痛、脳軟化症、顔面神経麻痺、関節炎、白内障、脳梗塞後遺症、各種ガンの治癒、肺気腫等に効果があることが確認されている。
【００９２】
≪変形例≫
なお、本考案は、前記実施形態に限定されるものではなく、その技術的思想の範囲内で種々の改造及び変更が可能であり、本考案はこれら改造及び変更された考案にも及ぶことは勿論である。
【００９３】
例えば、治療システム１は、磁気発生装置３とマイナスイオン発生装置４とを同時に始動させると共に、運動器具５を駆動させて患者Ｍを動かしながら治療し、予め設定した時間後に同時に停止するが、患者Ｍの病状や、患者Ｍの要望等によって、それぞれの駆動時間を適宜変更しても構わない。
例えば、治療システム１は、磁気発生装置３の磁気と、マイナスイオン発生装置４のマイナスイオンとを同時に発生させると共に、運動器具５を始動させてから、マイナスイオンの方を磁気よりも長時間（例えば、一般的な設定時間（６０分）の一割（６分）程度）に亘って発生させてもよい。マイナスイオンの発生時間を磁気の発生時間よりも長くすることによって、治療効果を向上させることができる。特に、この治療システム１は、酸化の激しい患者Ｍに有効である。
【００９４】
また、前記実施形態のイオンパッド４１は、図２に示す１つの矩形の板状の導子４１ａを矩形の導電性導子カバー４１ｂ及び通電調整用導子カバー４１ｃ内に入れて使用する場合を説明したが、帯のように長く形成した袋状の導電性のカバー部材内に、２〜３枚の導子４１ａを長手方向に連続して配置したベルト状のものであってもよい。また、イオンパッド４１は、風呂敷状（長方形）の導電性のカバー部材の上に２〜３枚の導子４１ａを長手方向に連続して配置して、４つ折りにして包んで帯状にしたものであってもよい。
イオンパッド４１は、このようにベルト状あるいは帯状にして、患者Ｍの首、腰、胴体、足首、手首等に巻き付けた状態で取り付けてもよい。
また、そのベルト状あるいは帯状のイオンパッド４１は、伸縮自在な布製の伸縮バンドから成る市販の導子を使用したものであってもよい。
【００９５】
前記実施形態では、患者Ｍの顔に、左右の眼と口とを露出させる開口７Ａ３ａを有する覆面７Ａ３及び導電性覆面７Ｂ２を被せて、眼及び口以外の全身を非導電性衣類７Ａと、導電性衣類７Ｂとで覆う場合を説明したが、患者Ｍの全身を完全に覆ってもよい。
その場合、眼には、織目の大きい木綿製等の非導電性のガーゼを介在させて、織目の大きい導電性の繊維で縫製したアイマスクで両眼を覆う。
【００９６】
また、口及び鼻には、織目の大きい木綿製等の非導電性のガーゼを介在させて、隙間なく織目の大きい導電性の繊維で縫製したマスクで覆う。マスクは、鼻及び口に隙間なく密着するように顔の形状にフィットしたものを使用する。
このように、眼、口及び鼻にも非導電性の繊維で縫製したガーゼを当てて、その上に導電性の繊維で縫製したアイマスク及びマスクで、隙間なく覆うことによって、患者Ｍの全身を漏れることなく非導電性衣類７Ａと導電性衣類７Ｂとで密着した状態で隙間なく全身を覆うことができる。このため、マイナスイオン及び磁気をさらに身体内に入り易くすることができる。
【００９７】
この場合は、眼、口及び鼻を非導電性衣類７Ａと導電性衣類７Ｂとで密着させた状態で覆ってマイナスイオン及び磁気を供給することにより、マイナスイオンが眼、口及び鼻にも入るため、眼、口、鼻及び気管支の病気や、皮膚の病気や、美容に対して効果がある。
【００９８】
また、治療システム１は、治療を行う際に、パルス磁気を発生する脈動磁場発生器、変動磁場発生器などの市販の他の電気磁気治療器を併用してもよい。治療システム１に他の電気磁気治療器を併用して治療する場合は、患者Ｍの頭部Ｍａ、胸部Ｍｂ、腹部Ｍｃ、左右の手部Ｍｄ、左右の足部Ｍｅ等に、併用する磁気発生器を取り付けて同時に使用する。
このように、他の電気磁気治療器を併用することによって、治療システム１は、さらに、治療効果を向上させることができる。
【００９９】
また、治療システム１は、超短波治療器を併用してもよい。この場合、超短波治療器は、導子を患者Ｍの患部の前後、あるいは、左右の対称な二箇所に貼って電波を流すことによって、縮んだ血管を拡げて血行をよくしたり、結石を分解して尿等の流れを良好にしたりするなどの効果がある。
【０１００】
また、運動器具５は、市販の電動製の「ステッパー」を例に挙げて説明したが、手動式でも、油圧駆動式や、空気圧駆動式等の他の駆動源を使用したものでも構わない。また、運動器具５は、患者Ｍが走行したり、歩行したりする「ランニングマシーン」や、「ウォーキングマシン」や、「歩行訓練装置」や、「起立訓練装置」等の各種のトレーニング装置であっても構わない。運動器具５は、患者Ｍが希望する運動や、体力に合った装置を適宜に使用すればよい。
また、運動器具５は、患者Ｍが立った状態で体を動かすことに限定されるものではなく、例えば、患者Ｍが座った状態で運動する自転車形状のエクササイズバイクや、患者Ｍが椅子等に座った状態でペダルをこぐ「足こぎローラーペダルエクササイズ」等でもよい。
【０１０１】
また、前記実施形態では、治療空間Ｓ内に運動器具５を配置した場合を説明したが、立って運動をすることができる体力がある患者Ｍが使用する場合、運動器具５は無くてもよい。この場合は、治療空間Ｓ内を体操、ダンス、バレエ、スポーツ、武道等の運動ができる広さに形成して、治療空間Ｓ内に床面１１上でその運動を行いながら磁気発生装置３の磁気と、マイナスイオン発生装置４からのマイナスイオンとで、患者Ｍの治療を行う。
【０１０２】
その場合、治療空間Ｓ内において、上部が梁部材２６に支持された電線４３は、例えば、梁部材２６の下面に固定したカーテンレール状部材に対して摺動する複数のランナ（吊金具）のリング部に電線４３を挿入して吊支し、梁部材２６に沿って左右方向に摺動するように配線してもよい。電線４３は、そのように配線すれば、患者Ｍが左右に動けば、梁部材２６から垂下した電線４３の垂下部位も、患者Ｍに引っ張られて追随して左右方向に移動するので、絡むことが無く、患者Ｍを運動し易い状態にすることができる。
電線４３と同様、吊上装置６も、索体６３の上端部を梁部材２６のカーテンレール状部材に対して摺動自在に係止し、梁部材２６に沿ってスライド移動自在に吊支してもよい。
【０１０３】
また、後部パネル２２とドア２５とは、互いに別体に形成してもよい。この場合は、治療空間Ｓの後側の壁部全体を後部パネル２２とドア２５とで形成し、ドア２５を後部パネル２２に対して開閉自在に配置する。また、ドア２５及びドア開口部２ａは、治療空間Ｓを囲むパネル２の少なくとも一箇所にあればよく、パネル２の複数箇所に設けてもよい。
また、ドア２５は、４つのパネル２中の１つを摺動可能にしたスライドドアでもよい。
【０１０４】
また、図１に示すドア２５は、少なくとも治療空間Ｓに出入りするためのドア開口部２ａがパネル２にあれば、無くてもよい。つまり、パネル２は、少なくとも前後左右の三方向に壁面を形成する部材（前部パネル２１及び側部パネル２３，２４）があれば、後部パネル２２（ドア２５）は無くてもよい。換言すると、治療空間Ｓは、例えば、磁気発生装置３が設けられたパネル２を平面視してＣ字状、コ字状、Ｕ字状、Ｖ字状等の形状に配置して、出入口が常に開放状態になっているブースや小室や小屋であってもよい。
【０１０５】
また、パネル２は、壁パネルに覗き窓や、窓ガラス等を設けたり、パネル２自体を透明部材で形成したりして、パネル２の外側から治療空間Ｓ内を視認可能にしてもよい。
また、治療空間Ｓは、パネル２で形成されることに限定されず、例えば、部屋（治療室）と部屋とを仕切る壁や、部屋内を区画する間仕切り状の衝立や、折畳み式の屏風や、治療空間Ｓを囲む塀、フェンス状部材等に、磁気発生装置３を設けて形成してもよい。
また、各パネル２、梁部材２６、及び吊上装置６には、それぞれを外側から保持するバックステイ等の倒れ防止部材を設けて、さらに、倒れ難い構造にしてもよい。
【符号の説明】
【０１０６】
１      縦型磁気マイナスイオン治療システム（治療システム）
２      パネル
２ａ    ドア開口部
３      磁気発生装置
４      マイナスイオン発生装置
５      運動器具
６      吊上装置
７      治療用衣類
７Ｂ    導電性衣類
８      安全帯
１１    床面
２５    ドア
２６    梁部材
４１    イオンパッド
４２    電位発生器
４４    電線
６２    アーム
６３    索体
６４    係止具
Ｍ      患者
Ｓ      治療空間
【図１】
0006570287.tif 000002
【図２】
0006570287.tif 000003
【図３】
0006570287.tif 000004
【図４】
0006570287.tif 000005